(57)【要約】【課題】光学ズームと電子ズームの切り替わりをユーザに意識させないようにズーム制御を行うとともに、電子ズームによる出力画像の画質の低下を抑える。【解決手段】撮像装置は、光学ズーム動作が可能な撮影光学系１と、該撮影光学系により形成された被写体像を光電変換する撮像素子４と、該撮像素子の出力を用いて生成された画像に対して電子ズーム処理を行う処理手段１６と、被写体像の周波数に関する情報を検出する検出手段８，９，１０とを有する。該撮像装置は、被写体像の周波数に関する情報に応じて、光学ズーム動作と電子ズーム処理とを行うことで得られる全ズーム倍率範囲のうち、光学ズーム動作と電子ズーム処理の双方を行うズーム倍率範囲を変更する制御手段１５を有する。【選択図】図１
2010206428.tif 000002
【特許請求の範囲】
【請求項１】
光学ズーム動作が可能な撮影光学系と、
該撮影光学系により形成された被写体像を光電変換する撮像素子と、
該撮像素子の出力を用いて生成された画像に対して電子ズーム処理を行う処理手段と、
前記被写体像の周波数に関する情報を検出する検出手段と、
前記情報に応じて、前記光学ズーム動作と前記電子ズーム処理とを行うことで得られる全ズーム倍率範囲のうち、前記光学ズーム動作と前記電子ズーム処理の双方を行うズーム倍率範囲を変更する制御手段とを有することを特徴とする撮像装置。
【請求項２】
前記検出手段は、前記画像の特定の周波数成分に基づいて前記情報を検出することを特徴とする請求項１に記載の撮像装置。
【請求項３】
前記撮影光学系は、開口量が可変である絞りを有し、
前記検出手段は、前記絞りの開口量に基づいて前記情報を検出することを特徴とする請求項１に記載の撮像装置。
【請求項４】
前記撮影光学系は、該撮影光学系に対する挿入量が可変である減光フィルタを有し、
前記検出手段は、前記減光フィルタの挿入量に基づいて前記情報を検出することを特徴とする請求項１に記載の撮像装置。
【請求項５】
前記画像のうち出力領域をシフトさせて防振処理を行う防振手段を有することを特徴とする請求項１から４のいずれか１つに記載の撮像装置。
【請求項６】
光学ズーム動作が可能な撮影光学系と、該撮影光学系により形成された被写体像を光電変換する撮像素子とを有し、該撮像素子の出力を用いて生成された画像に対して電子ズーム処理を行う撮像装置の制御方法であって、
前記被写体像の周波数に関する情報を検出するステップと、
前記情報に応じて、前記光学ズーム動作と前記電子ズーム処理とを行うことで得られる全ズーム倍率範囲のうち、前記光学ズーム動作と前記電子ズーム処理の双方を行うズーム倍率範囲を変更するステップとを有することを特徴とする撮像装置の制御方法。
【発明の詳細な説明】
【技術分野】
【０００１】
本発明は、光学ズームと電子ズームが可能な撮像装置に関する。
【背景技術】
【０００２】
上記のような撮像装置では、広角側で光学ズームによる画角調節（変倍）を行い、光学ズームの望遠端よりもさらに望遠側にて電子ズームによる画角調節を行うことができるものが多い。また、特許文献１には、光学ズームと電子ズームとを出力画素数と撮像素子の有効画素数との関係によって変えることで、画像の周辺部の劣化を抑えるようにした撮像装置が開示されている。
【０００３】
また、図９に示すように、光学ズームと電子ズームの切り替わりをユーザに意識させないようにズーム制御を行う撮像装置も提案されている。
図９において、左側の縦軸及び実線グラフは撮像素子からの出力を用いて生成されてメモリに格納された画像データのうち、電子ズームによって拡大される領域として切り出される画像領域のサイズ（メモリ切り出しライン数）を示している。このメモリ切り出しライン数が小さくなるほど、電子ズーム倍率が高くなる。また、右側の縦軸及び点線は、光学ズームのズーム倍率を示す。横軸は、電子ズーム倍率と光学ズーム倍率との積として得られるトータルズーム倍率を示している。ａはトータルズーム倍率の範囲のうちの広角端を示し、ｄはトータルズーム倍率の範囲のうちの望遠端を示す。ｃ０は望遠端ｄに向かって電子ズームが開始されるトータルズーム倍率（以下、電子ズーム開始倍率という）を示す。
【０００４】
広角端ａから電子ズーム開始倍率ｃ０までの範囲では光学ズームのみが行われる。また、電子ズーム開始倍率ｃ０から望遠端ｄまでの範囲では光学ズームと電子ズームの双方が行われる。電子ズームでは、画像データから離散的なサイズ設定により切り出される部分画像データを補間処理して拡大するため、出力画像（表示画像）の倍率が不連続的に変化する。このような出力画像の不連続な倍率変化は、該出力画像を観察しているユーザに光学ズームと電子ズームの切り替わりを意識させ、違和感を与える。そこで、出力画像の不連続な倍率変化を低減して光学ズームと電子ズームの切り替わりをユーザに意識させないためな、電子ズーム開始倍率ｃ０から望遠端ｄまでのズーム倍率範囲では、電子ズームと同時に光学ズームも行い、出力画像の倍率変化に連続性を与える。
【先行技術文献】
【特許文献】
【０００５】
【特許文献１】特許第３５９３２７１号公報
【発明の概要】
【発明が解決しようとする課題】
【０００６】
しかしながら、図９に示すようなズーム制御を行う従来の撮像装置では、電子ズーム開始倍率ｃ０は実際の出力画像の特性、言い換えれば、被写体の状態に関係なく固定値として設定されている。このため、光学ズームと電子ズームの双方が行われるズーム倍率範囲において、電子ズームによる出力画像の画質が低下する場合がある。
本発明は、光学ズームと電子ズームの切り替わりをユーザに意識させないようにズーム制御を行うことができるとともに、電子ズームによる出力画像の画質の低下を抑えることが可能な撮像装置を提供する。
【課題を解決するための手段】
【０００７】
本発明の一側面としての撮像装置は、光学ズーム動作が可能な撮影光学系と、該撮影光学系により形成された被写体像を光電変換する撮像素子と、該撮像素子の出力を用いて生成された画像に対して電子ズーム処理を行う処理手段と、被写体像の周波数に関する情報を検出する検出手段と、該情報に応じて、光学ズーム動作と電子ズーム処理とを行うことで得られる全ズーム倍率範囲のうち、光学ズーム動作と電子ズーム処理の双方を行うズーム倍率範囲を変更する制御手段を有することを特徴とする。
また、本発明の他の一側面としての制御方法は、光学ズーム動作が可能な撮影光学系と、該撮影光学系により形成された被写体像を光電変換する撮像素子とを有し、該撮像素子の出力を用いて生成された画像に対して電子ズーム処理を行う撮像装置に適用される。該制御方法は、被写体像の周波数に関する情報を検出するステップと、該情報に応じて、光学ズーム動作と電子ズーム処理とを行うことで得られる全ズーム倍率範囲のうち、光学ズーム動作と電子ズーム処理の双方を行うズーム倍率範囲を変更するステップとを有することを特徴とする。
【発明の効果】
【０００８】
本発明によれば、光学ズーム動作と電子ズーム処理の双方を行うようにすることで、光学ズームと電子ズームの切り替わりをユーザに意識させないようにすることができる。しかも、光学ズーム動作と電子ズーム処理の双方を行うズーム倍率範囲を被写体像の周波数に関する情報に応じて可変とすることで、該ズーム倍率範囲での電子ズーム処理による画質の低下を抑えることができる。
【図面の簡単な説明】
【０００９】
【図１】本発明の実施例１である撮像装置の構成を示すブロック。
【図２】実施例１の撮像装置におけるズーム制御の例を示す図。
【図３】実施例１の撮像装置におけるズーム制御の他の例を示す図。
【図４】実施例１の撮像装置におけるズーム制御の流れを示すフローチャート。
【図５】本発明の実施例２及び実施例３である撮像装置の構成を示すブロック図。
【図６】実施例２の撮像装置におけるズーム制御の例を示す図。
【図７】実施例３の撮像装置におけるズーム制御の例を示す図。
【図８】実施例３の撮像装置におけるズーム制御の他の例を示す図。
【図９】従来の撮像装置におけるズーム制御の例を示す図。
【発明を実施するための形態】
【００１０】
以下、本発明の実施例について図面を参照しながら説明する。
【実施例１】
【００１１】
図１には、本発明の実施例１であるビデオカメラ、デジタルスチルカメラ等の撮像装置の構成を示す。１は撮影光学系であるズームレンズであり、変倍動作、すなわち光学ズーム動作が可能である。１ａはズームレンズ１における不図示の変倍レンズの位置（光学ズーム位置）を検出するズーム位置検出器である。
４はズームレンズ１により形成された光学像（被写体像）を光電変換するＣＣＤセンサやＣＭＯＳセンサ等の撮像素子（以下、ＣＣＤという）である。
７はＣＣＤ４からの出力信号（撮像信号）に対する、低域ノイズ除去処理や増幅処理等のアナログ処理を行うＡＦＥである。
１６はＡＦＥ７からのアナログ信号をデジタル信号に変換した上で、色補正処理、ガンマ補正、解像感を付加するためのアパーチャ処理等のデジタル処理を行って画像信号（電子画像：以下、画像データという）を生成する信号処理回路である。信号処理回路１６は、生成した画像データを一時的に格納するメモリ１６ａを有する。
また、信号処理回路１６は、後述するマイクロコンピュータ１５からの電子ズーム指令に応じて、メモリ１６ａに格納された画像データに対する電子ズーム処理を行う処理手段として機能する。具体的には、画像データから、電子ズーム指令に含まれるメモリ切り出しライン数に応じた画像領域を切り出し、この画像領域のデータに対して補間処理を行うことで、該画像領域に対応する画像が表示素子１８の画面全体に表示されるようにする。
１７は信号処理回路１６で生成された画像データを不図示の出力端子（図示せず）やモニタ等の表示素子１８に出力する出力回路である。
８はＡＦＥ７からの撮像信号のうち高周波成分（特定の周波数成分）を抽出する高周波成分抽出回路としてのＨＰＦである。９はＨＰＦ８によって抽出された高周波成分を積分する積分回路である。
１０は積分回路９から出力された積分信号の値が所定の閾値より高いか低いかの判定を行う判定回路（判定手段）である。積分信号の値が閾値より高いことは被写体像に含まれる高周波部分が多いことに対応し、積分信号の値が閾値より低いことは被写体像に含まれる高周波部分が少ないことに対応する。
被写体像に含まれる高周波部分が多い場合とは、例えば複数の人物や複雑な風景（又は背景）が被写体であり、被写体像のコントラストが高い場合である。また、被写体像に含まれる高周波部分が少ない場合とは、例えば、一人の人物や単調な風景（又は背景）が被写体であり、被写体像のコントラストが低い場合である。
ＨＰＦ８、積分回路９及び判定回路１０によって、被写体像の周波数に関する情報を検出する検出手段が構成される。
５はＣＣＤ４の水平及び垂直ラインの駆動信号を発生するＴＧ制御回路である。６はＣＣＤ４からの出力信号を用いて生成された画像データ（メモリ１６ａに格納された画像データ）のうち、防振処理及び電子ズーム処理を行う画像領域の切り出し範囲を決める防振／切り出し回路である。
マイクロコンピュータ１５は、該撮像装置全体の制御を司る制御手段として機能する。１４はマイクロコンピュータ１５からの信号に応じてズームレンズ１の光学ズーム動作を制御するズーム制御回路である。
次に、上記のように構成された撮像装置におけるズーム制御について説明する。前述したように、ズームレンズ１より形成された被写体像は、ＣＣＤ４、ＡＦＥ７及び信号処理回路１６を介して画像データに変換される。
一方、ＡＦＥ７からの撮像信号が入力されたＨＰＦ８は、撮像信号から被写体像の高周波部分に対応する約２〜４ＭＨｚの高周波成分を分離（抽出）する。分離された高周波成分は、積分回路９にて積分される。被写体像の高周波部分の大小によって、積分値が変化する。判定回路１０は、積分値が閾値より高いか低いかを示す判定信号をマイクロコンピュータ１５に出力する。マイクロコンピュータ１５は、該判定信号に応じて防振／切り出し回路６を制御する。
図２及び図３にはそれぞれ、上述した積分値が閾値より低い場合と高い場合における光学ズーム動作と電子ズーム処理の関係を示している。
図２及び図３において、左側の縦軸及び実線グラフはＣＣＤ４からの出力を用いて生成されてメモリ１６ａに格納された画像データのうち、電子ズーム処理によって拡大される領域として切り出される画像領域のサイズ（メモリ切り出しライン数）を示している。このメモリ切り出しライン数が小さくなるほど、電子ズーム処理により得られるズーム倍率（以下、電子ズーム倍率という）が高くなる。
また、右側の縦軸及び点線は、光学ズーム動作により得られるズーム倍率（以下、光学ズーム倍率という）を示す。横軸は、電子ズーム倍率と光学ズーム倍率との積として得られるトータルズーム倍率を示している。本実施例では、光学ズーム動作と電子ズーム処理とを行うことで、１倍から４０倍までのトータルズーム倍率が得られる。このトータルズーム倍率の全範囲（全ズーム倍率範囲）を以下、トータルズーム倍率範囲という。
ａはトータルズーム範囲のうちの広角端を示し、ｄはトータルズーム倍率範囲のうちの望遠端を示す。図２中のｃ１と図３中のｃ２は、望遠端ｄに向かって電子ズーム処理が開始されるトータルズーム倍率（以下、電子ズーム開始倍率という）を示す。
また、本実施例では、電子ズーム処理は、９６０本から４８０本のメモリ切り出しライン数の範囲で行う。９６０本は、メモリ１６ａに格納した画像データから切り出す画像領域（出力領域）をシフトさせて行う防振処理において、該シフトに最低限必要な周辺画像領域を残すように設定されたメモリ切り出しライン数である。
【００１２】
積分値が閾値より低い場合（図２）と高い場合（図３）のいずれにおいても、広角端ａから電子ズーム開始倍率ｃ１又はｃ２までの範囲では光学ズーム動作のみが行われる。また、電子ズーム開始倍率ｃ１又はｃ２から望遠端ｄまでの範囲では光学ズーム動作と電子ズーム処理の双方が行われる。以下、光学ズーム動作と電子ズーム処理の双方が行われるズーム倍率範囲を光学／電子ズーム併用範囲という。
光学ズーム動作と電子ズーム処理の双方を行う、言い換えれば電子ズーム処理を行うときに光学ズーム動作も併せて行うことで、表示素子１８に出力される画像の電子ズーム処理による倍率変化の不連続性を低減する。これにより、光学ズームと電子ズームの切り替わりをユーザに意識させないようにすることができる。
図２に示す積分値が閾値より低い場合、すなわち被写体像に含まれる高周波部分が少ない場合は、判定回路１０からマイクロコンピュータ１５に積分値が閾値より低いことを示すＬＯＷ信号が出力される。マイクロコンピュータ１５はこのＬＯＷ信号を受けて、ズーム制御を図２に点線で示す光学ズーム制御データ及び実線で示す電子ズーム制御データに従って制御する。これらのズーム制御データは、予めマイクロコンピュータ１５内の不図示のメモリ（ＲＡＭ）に記憶されている。
一方、図３に示す積分値が閾値より高い場合、すなわち被写体像に含まれる高周波部分が多い場合は、判定回路１０からマイクロコンピュータ１５に積分値が閾値より高いことを示すＨＩＧＨ信号が出力される。マイクロコンピュータ１５はこのＨＩＧＨ信号を受けて、ズーム制御を図３に点線で示す光学ズーム制御データ及び実線で示す電子ズーム制御データに従って制御する。これらのズーム制御データも、予めマイクロコンピュータ１５内のＲＡＭに記憶されている。
【００１３】
積分値が閾値より高い場合における電子ズーム開始倍率ｃ２は、積分値が閾値より低い場合における電子ズーム開始倍率ｃ１よりも高い（つまりは、望遠側の）トータルズーム倍率に設定されている。電子ズーム開始倍率ｃ２が電子ズーム開始倍率ｃ１よりも高いということは、可能な限り光学ズームのみを用いて広角側から望遠側にズームし、そこから光学ズームと電子ズームとを併用して望遠端までズームすることを意味する。この場合、望遠端までズームしても、電子ズームに伴う画質の低下を少なく抑えることができる。
一方、電子ズーム開始倍率ｃ１が電子ズーム開始倍率ｃ２よりも低いということは、広角側から望遠側へのズームにおいて早い段階から電子ズームを用いることを意味する。この場合、上記の場合に比べて電子ズームに伴う画質の低下は大きくなるものの、防振処理に必要な周辺画像領域に余裕ができるので、防振性能を向上させることができる。
なお、電子ズーム開始倍率ｃ１に対する光学ズーム倍率と電子ズーム開始倍率ｃ２に対する光学ズーム倍率は互いに同じ（１０倍）である。
【００１４】
このように、本実施例では、被写体像が高周波部分を多く含むか否かの情報、言い換えれば、被写体像の周波数に関する情報の検出を、撮像信号の高周波成分に基づいて行う。そして、該検出結果に応じて、トータルズーム倍率範囲における電子ズーム開始倍率を変更することで、光学／電子ズーム併用範囲を変更する。
図４のフローチャートには、マイクロコンピュータ１５にて行われるズーム制御処理の流れを示している。該処理は、マイクロコンピュータ１５内に格納されたコンピュータプログラムに従って実行される。
【００１５】
ステップ（図にはＳと略記する）１では、マイクロコンピュータ１５は、ズーム位置検出器１ａから光学ズーム位置を読み込む。そして、マイクロコンピュータ１５は、読み込んだ光学ズーム位置とメモリ切り出しライン数の初期値（９６０本）とをマイクロコンピュータ１５内のＲＡＭに書き込む。
ステップ２では、マイクロコンピュータ１５は、光学ズーム位置とメモリ切り出しライン数の初期値に応じて予め決められたトータルズーム倍率を算出し、図９に示したように、電子ズーム開始倍率がｃ０である光学及び電子ズーム制御データをＲＡＭから受け取る。
ステップ３では、マイクロコンピュータ１５は、信号処理回路１６にて生成され、メモリ１６ａに格納された画像データを読み込む。
ステップ４では、マイクロコンピュータ１５は、判定回路１０からの信号（ＬＯＷ信号及びＨＩＧＨ信号）に基づいて、撮像信号における高周波成分の積分値が閾値（スレッシュ１）より高いか否か、すなわち被写体像に含まれる高周波部分が多いか否かを判別する。積分値がスレッシュ１より低い場合はステップ５に進み、積分値がスレッシュ１より高い場合はステップ６に進む。
ステップ５では、マイクロコンピュータ１５は、図２に示したように電子ズーム開始倍率がｃ１である光学及び電子ズーム制御データをＲＡＭから受け取る。一方、ステップ６では、マイクロコンピュータ１５は、図３に示したように電子ズーム開始倍率がｃ２である光学及び電子ズーム制御データをＲＡＭから受け取る。これにより、被写体像に含まれる高周波部分が少ない場合と多い場合とで、光学／電子ズーム併用範囲が変更される。そして、ステップ５及びステップ６からステップ７に進む。
ステップ７では、マイクロコンピュータ１５は、ステップ５又はステップ６で受け取った光学及び電子ズーム制御データを参照して、ステップ１で読み込んだ光学ズーム位置に対応するメモリ切り出しライン数を含む電子ズーム指令を信号処理回路１６に出力する。信号処理回路１６は、電子ズーム指令に含まれるメモリ切り出しライン数が９６０本より少ない場合は、メモリ１６ａに格納した画像データから該メモリ切り出しライン数に応じた画像領域を切り出して電子ズーム処理を行う。電子ズーム処理後の画像は、出力回路１７を通じて表示素子１８に表示される。
なお、本実施例では、高周波成分の積分値が１つの閾値より高いか否かによって光学／電子ズーム併用範囲を２つの範囲の間で変更する場合について説明した。しかし、複数の閾値を用いて光学／電子ズーム併用範囲をより多くの範囲の間で変更するようにしてもよい。
【実施例２】
【００１６】
図５には、本発明の実施例２及び後述する実施例３に共通する撮像装置の構成を示している。図１に示した構成要素と同じ構成要素には、図１中の符号と同じ符号を付して説明に代える。
図５において、２はズームレンズ１からの入射光量を調節するための絞りであり、その開口量が可変である。３はズームレンズ１からの入射光量を低減するための減光フィルタ（ＮＤフィルタ）であり、ズームレンズ１に対する挿入量（絞り２の開口を覆う量）が可変である。なお、図５では、絞り２及びＮＤフィルタ３がズームレンズ１とは別に設けられているように記載されているが、実際にはズームレンズ１の内部に配置されている。
１１は絞り２及びＮＤフィルタ３を駆動する絞り／ＮＤ駆動回路であり、１３はマイクロコンピュータ１５からの制御信号に応じて絞り／ＮＤ駆動回路１１を制御するＡＥ制御回路である。１２は絞りの開口量及びＮＤフィルタ３の挿入量を検出する絞り／ＮＤエンコーダである。
図６には、絞り２の開口量（開口度：Ｆ値）とズームレンズ１のＭＴＦ（Modulation Transfer Function）との関係を示している。絞り２の開口量の大きさが小さくなるほど、絞り２で発生する回折によってＭＴＦが低下する。この図では、絞り２の開口量がｆ２．８に相当するときにＭＴＦは１００％であり、被写体の高周波部分を忠実に再現した被写体像を形成できることを示している。
絞り／ＮＤエンコーダ回路（検出手段）１２により検出された絞り２の開口量の情報は、マイクロコンピュータ１５に送られる。マイクロコンピュータ１５は、絞り２の開口量のがｆ２．８からｆ１６までのＦ値に相当する大きさである場合は、被写体の高周波部分を良好に再現した被写体像を形成できるので、図３に示した光学及び電子ズーム制御データを用いてズーム制御を行う。
一方、絞り２の開口量がｆ１６に相当する大きさよりも小さいと、ＭＴＦは５０％を下回り、被写体の高周波部分を良好に再現した被写体像を再現することができない。この場合、マイクロコンピュータ１５は、図２に示した光学及び電子ズーム制御データを用いてズーム制御を行う。
このように、本実施例では、被写体像が被写体の高周波部分に対応する高周波成分を含むか否かの情報、言い換えれば、被写体像の周波数に関する情報を、絞り２の開口量に基づいて行う。そして、該検出結果に応じて、トータルズーム倍率範囲における電子ズーム開始倍率を変更することで、光学／電子ズーム併用範囲を変更する。
なお、本実施例では、絞り２の開口量が１つの閾値（ｆ１６相当）より大きいか否かによって光学／電子ズーム併用範囲を２つの範囲の間で変更する場合について説明した。しかし、複数の閾値を用いて光学／電子ズーム併用範囲をより多くの範囲の間で変更するようにしてもよい。
【実施例３】
【００１７】
以下、本発明の実施例３について説明する。図７には、図５に示したＮＤフィルタ３のズームレンズ１に対する挿入量（絞り２の開口を覆う量）の変化を示している。ｎ１はＮＤフィルタ３の挿入量（挿入位置）として、ＮＤフィルタ３が絞り２の開口の１０％を覆う量（位置）を示している。ｎ２はＮＤフィルタ３の挿入量として、ＮＤフィルタ３が絞り２の開口の５０％を覆う量（位置）を示している。ｎ３は、ＮＤフィルタ３の挿入量（挿入位置）として、ＮＤフィルタ３が絞り２の開口の９０％を覆う量（位置）を示している。
【００１８】
図８には、ＮＤフィルタ３の挿入量（ＮＤ位置）とズームレンズ１のＭＴＦとの関係を示している。ＮＤフィルタ３が絞り２の開口を全く覆わないときのＭＴＦを１００％で示している。
ＮＤフィルタ３の挿入量がｎ１である状態では、ＭＴＦは１００％から１０％程度低下する。また、ＮＤフィルタ３の挿入量がｎ２である状態では、ＭＴＦは５０％以下まで低下する。一方、ＮＤフィルタ３の挿入量がｎ３である状態では、ＮＤフィルタ３が絞り２の開口のほとんどを覆うので、ＭＴＦの１００％からの低下は１０％程度となる。これらのＭＴＦの低下は、ＮＤフィルタ３の端部により発生する光の回折によって引き起こされる。
絞り／ＮＤエンコーダ回路１２により検出されたＮＤフィルタ３の挿入量の情報は、マイクロコンピュータ１５に送られる。マイクロコンピュータ１５は、ＮＤフィルタ３の挿入量に応じて、図２及び図３のいずれに示した光学及び電子ズーム制御データを用いるかを選択する。
ＮＤフィルタ３の挿入量がｎ１以下である場合と、該挿入量がｎ３以上である場合では、ＭＴＦは９０％程度以上であるため、被写体の高周波部分を良好に再現することができる。このため、マイクロコンピュータ１５は、図３に示した光学及び電子ズーム制御データを用いてズーム制御を行う。
一方、ＮＤフィルタ３の挿入量がｎ１より大きく、かつｎ３より小さい状態ではＭＴＦが５０％以下となり、被写体の高周波部分を良好に再現した被写体像を再現することができない。このため、マイクロコンピュータ１５は、図２に示した光学及び電子ズーム制御データを用いてズーム制御を行う。
このように、本実施例では、被写体像が被写体の高周波部分に対応する高周波成分を含むか否かの情報、言い換えれば、被写体像の周波数に関する情報の検出を、ＮＤフィルタ３の挿入量に基づいて行う。そして、該検出結果に応じて、トータルズーム倍率範囲における電子ズーム開始倍率を変更することで、光学／電子ズーム併用範囲を変更する。
なお、本実施例では、ＮＤフィルタ３の挿入量と３つの閾値（１０％、５０％及び９０％挿入量）との関係によって光学／電子ズーム併用範囲を２つの範囲の間で変更する場合について説明した。しかし、閾値の数は３つに限らず、光学／電子ズーム併用範囲をより多くの範囲の間で変更するようにしてもよい。
以上説明した各実施例は代表的な例にすぎず、本発明の実施に際しては、各実施例に対して種々の変形や変更が可能である。
【産業上の利用可能性】
【００１９】
光学ズームと電子ズームの切り替わりをユーザに意識させないようにズーム制御を行うことができるとともに、電子ズームによる出力画像の画質の低下を抑えることができる撮像装置を提供できる。
【符号の説明】
【００２０】
１  ズームレンズ
２  絞り
３  ＮＤフィルタ
４  ＣＣＤ
６  防振／切り出し制御回路
８  ＨＰＦ
９  積分回路
１０  判定回路
１２  絞り／ＮＤエンコーダ
１５  マイクロコンピュータ
１６  信号処理回路
１７  出力回路
【図１】
2010206428.tif 000003
【図２】
2010206428.tif 000004
【図３】
2010206428.tif 000005
【図４】
2010206428.tif 000006
【図５】
2010206428.tif 000007
【図６】
2010206428.tif 000008
【図７】
2010206428.tif 000009
【図８】
2010206428.tif 000010
【図９】
2010206428.tif 000011